(57)【特許請求の範囲】
【請求項１】
商品の販売に係る販売データを処理する商品販売データ処理装置において、
顧客を特定する識別番号を記憶する記憶部と書き替え自在な印字エリアとを有するリライトカードに対し、前記記憶部からの前記識別番号の読み取り及び前記印字エリアに対する所定事項の書き込みが可能なリライトカード処理装置と、
前記リライトカードを保有する顧客の名称である顧客名称データをその顧客を特定する前記識別番号に対応付けて記憶する顧客ファイルと、
前記販売データの処理の際に、前記リライトカード処理装置によって前記リライトカードの前記記憶部から前記識別番号を読み取る識別番号読取手段と、
この識別番号読取手段により読み取られた前記識別番号が、前記顧客ファイルに存在するか否かを判断する識別番号探索手段と、
前記リライトカード処理装置により読み取られた前記識別番号が前記顧客ファイルに存在すると判断した場合には、当該識別番号に対応付けられて前記顧客ファイルに記憶されている前記顧客名称データに基づく顧客名称を前記リライトカードの前記印字エリアに前記リライトカード処理装置により書き込む顧客名称書込み手段と、
前記リライトカード処理装置により読み取られた前記識別番号が前記顧客ファイルに存在すると判断した場合であっても、当該識別番号に対応付けられて前記顧客ファイルに記憶されている前記顧客名称データがスペースもしくはＮＵＬＬ値等の前記顧客名称を示すものではない場合には、前記顧客名称書込み手段の実行を回避する書込み回避手段と、
を備えることを特徴とする商品販売データ処理装置。
【請求項２】
顧客を特定する識別番号を記憶する記憶部と書き替え自在な印字エリアとを有するリライトカードに対し、前記記憶部からの前記識別番号の読み取り及び前記印字エリアに対する所定事項の書き込みが可能なリライトカード処理装置と、前記リライトカードを保有する顧客の名称である顧客名称データをその顧客を特定する前記識別番号に対応付けて記憶する顧客ファイルとを備え、商品の販売に係る販売データを処理する商品販売データ処理装置のコンピュータに読み取り可能なプログラムであって、
前記プログラムは、
前記販売データの処理の際に、前記リライトカード処理装置によって前記リライトカードの前記記憶部から前記識別番号を読み取る識別番号読取機能と、
この識別番号読取機能により読み取られた前記識別番号が、前記顧客ファイルに存在するか否かを判断する識別番号探索機能と、
前記リライトカード処理装置により読み取られた前記識別番号が前記顧客ファイルに存在すると判断した場合には、当該識別番号に対応付けられて前記顧客ファイルに記憶されている前記顧客名称データに基づく顧客名称を前記リライトカードの前記印字エリアに前記リライトカード処理装置により書き込む顧客名称書込み機能と、
前記リライトカード処理装置により読み取られた前記識別番号が前記顧客ファイルに存在すると判断した場合であっても、当該識別番号に対応付けられて前記顧客ファイルに記憶されている前記顧客名称データがスペースもしくはＮＵＬＬ値等の前記顧客名称を示すものではない場合には、前記顧客名称書込み機能の実行を回避する書込み回避機能と、
を前記コンピュータに実行させることを特徴とするコンピュータに読み取り可能なプログラム。
【発明の詳細な説明】
【０００１】
【発明の属する技術分野】
本発明は、繰り返し印字可能な印字エリアを有するリライトカードに対するデータの読み取り及び書き込みを行なうリライトカード処理装置を備え、量販店や専門店等で使用されるＰＯＳ（Point of Sales：販売時点管理）端末やＥＣＲ（Electric Cash Register）等の商品販売データ処理装置及びコンピュータに読み取り可能なプログラムに関する。
【０００２】
【従来の技術】
量販店や専門店等においては、例えば、商品買上金額に応じたポイントを顧客カードに累積付加し、この累積ポイントに基づいて顧客に特典を与えるポイントサービスシステムが利用されている。このようなポイントサービスシステムによれば、顧客の購買意欲を高めるとともに、固定客を掴むための様々な販売促進活動を支援することができる。
【０００３】
このようなポイントサービスシステムを実施するにあたっては、顧客データを管理する顧客ファイルの作成が不可欠である。この顧客ファイルは、ＰＯＳ端末等において作成され、例えば、会員番号に対応付けて、顧客名称や累積ポイント等の個人情報を記憶保持している。なお、このような個人情報を有する顧客ファイルのデータを新規に作成するにあたっては、まず、新規にサービスへの入会を希望する顧客に対して店側が予め準備した入会申込書を提示し、この入会申込書に顧客データに係る所定の事項を記入してもらうようにしている場合が多い。
【０００４】
加えて、このようなポイントサービスシステムを実施するにあたっては、顧客毎にポイントを記憶するための各種のカードが用いられている。近年においては、ポイントを貯めるだけではなくポイントをその都度支払いにあてることができるポイントサービスシステムに対応すべく、温度変化によってデータ印字の書き替えが自在とされており繰り返し印字可能なリライトカードが多く用いられている。
【０００５】
【発明が解決しようとする課題】
ところで、このようなポイントサービスシステムで使用されるリライトカードは、予めカードナンバー（会員番号）のみがエンコードされており、入会の際に、そのカードナンバー（会員番号）が記載されている入会申込書とともに入会の際に顧客に手渡される場合が多い。特にカード会員を新規に大量に募集する際においては、このような方式が多い。つまり、このようにして顧客に手渡されたリライトカードは、顧客データに係る所定の事項が記入された入会申込書に基づいて顧客ファイルを作成する前に顧客に手渡されてしまうために、当初は顧客名称が印字されていない状態で使用されることになる。
【０００６】
そして、このような顧客名称が印字されていない状態のリライトカードは、後日、カード発行専用機等を用いて顧客名称をリライトカードに印字することになるが、その印字入力には手間がかかるため、リライトカードに顧客名称が印字されていない状態で継続して使用されることもある。このようにリライトカードに顧客名称が印字されていない状態で継続して使用される場合、その持ち主を一目で特定することが困難であり、不都合が生じている。
【０００７】
また、カード発行専用機等を用いて顧客名称をリライトカードに印字する際に、誤った顧客名称を印字してしまうことがあり、このような場合には、正しい顧客名称をカード発行専用機等を用いてリライトカードに再度印字することになる。
【０００８】
さらに、結婚等により会員の氏名（顧客名称）が変わることがあるが、このような場合には、顧客ファイルを変更するとともに、新しい氏名（顧客名称）をカード発行専用機等を用いてリライトカードに再度印字することになり、手間がかかっている。
【０００９】
本発明の目的は、顧客サービスの向上及び名称入力作業等に係る経費削減を図ることができる商品販売データ処理装置及びプログラムを提供することである。
【００１０】
【課題を解決するための手段】
請求項１記載の発明の商品販売データ処理装置は、商品の販売に係る販売データを処理する商品販売データ処理装置において、顧客を特定する識別番号を記憶する記憶部と書き替え自在な印字エリアとを有するリライトカードに対し、前記記憶部からの前記識別番号の読み取り及び前記印字エリアに対する所定事項の書き込みが可能なリライトカード処理装置と、前記リライトカードを保有する顧客の名称である顧客名称データをその顧客を特定する前記識別番号に対応付けて記憶する顧客ファイルと、前記販売データの処理の際に、前記リライトカード処理装置によって前記リライトカードの前記記憶部から前記識別番号を読み取る識別番号読取手段と、この識別番号読取手段により読み取られた前記識別番号が、前記顧客ファイルに存在するか否かを判断する識別番号探索手段と、前記リライトカード処理装置により読み取られた前記識別番号が前記顧客ファイルに存在すると判断した場合には、当該識別番号に対応付けられて前記顧客ファイルに記憶されている前記顧客名称データに基づく顧客名称を前記リライトカードの前記印字エリアに前記リライトカード処理装置により書き込む顧客名称書込み手段と、前記リライトカード処理装置により読み取られた前記識別番号が前記顧客ファイルに存在すると判断した場合であっても、当該識別番号に対応付けられて前記顧客ファイルに記憶されている前記顧客名称データがスペースもしくはＮＵＬＬ値等の前記顧客名称を示すものではない場合には、前記顧客名称書込み手段の実行を回避する書込み回避手段と、を備える。
【００１１】
したがって、販売データの処理の際にリライトカード処理装置によりリライトカードの記憶部から識別番号を読み取った場合には、その読み取られた識別番号に対応付けられて顧客ファイルに記憶されている顧客名称データに基づく顧客名称が、リライトカードの印字エリアに書き込まれる。これにより、リライトカードの印字エリアの顧客名称が販売データの処理の際に毎回書き替えられることになるので、顧客ファイルに対する顧客名称の登録が終了した後にリライトカードが使用されれば、リライトカードの印字エリアには顧客名称が印字されることになり、顧客サービスの向上及び名称入力作業等に係る経費削減を図ることが可能になる。また、誤った顧客名称を顧客ファイルに登録してしまった場合や、結婚や改名等により顧客名称が変更になった場合にも、顧客ファイルに対する顧客名称の登録変更が終了した後にリライトカードが使用されれば、リライトカードの印字エリアには変更後の顧客名称が印字されることになり、顧客サービスの向上及び名称入力作業等に係る経費削減を図ることが可能になる。また、顧客名称データがスペースもしくはＮＵＬＬ値等の顧客名称を示すものではない場合には、リライトカードの印字エリアの顧客名称が書き替えられることはない。これにより、例えば顧客ファイルに対する顧客名称の登録が終了する前に顧客名称をリライトカードの印字エリアに書き込んで発行する場合に、発行直後のリライトカードの使用によってリライトカードの印字エリアの顧客名称が消えてしまうことを回避することが可能になる。
【００１４】
請求項２記載の発明のプログラムは、顧客を特定する識別番号を記憶する記憶部と書き替え自在な印字エリアとを有するリライトカードに対し、前記記憶部からの前記識別番号の読み取り及び前記印字エリアに対する所定事項の書き込みが可能なリライトカード処理装置と、前記リライトカードを保有する顧客の名称である顧客名称データをその顧客を特定する前記識別番号に対応付けて記憶する顧客ファイルとを備え、商品の販売に係る販売データを処理する商品販売データ処理装置のコンピュータに読み取り可能なプログラムであって、前記プログラムは、前記販売データの処理の際に、前記リライトカード処理装置によって前記リライトカードの前記記憶部から前記識別番号を読み取る識別番号読取機能と、この識別番号読取機能により読み取られた前記識別番号が、前記顧客ファイルに存在するか否かを判断する識別番号探索機能と、前記リライトカード処理装置により読み取られた前記識別番号が前記顧客ファイルに存在すると判断した場合には、当該識別番号に対応付けられて前記顧客ファイルに記憶されている前記顧客名称データに基づく顧客名称を前記リライトカードの前記印字エリアに前記リライトカード処理装置により書き込む顧客名称書込み機能と、前記リライトカード処理装置により読み取られた前記識別番号が前記顧客ファイルに存在すると判断した場合であっても、当該識別番号に対応付けられて前記顧客ファイルに記憶されている前記顧客名称データがスペースもしくはＮＵＬＬ値等の前記顧客名称を示すものではない場合には、前記顧客名称書込み機能の実行を回避する書込み回避機能と、を前記コンピュータに実行させる。
【００１５】
したがって、販売データの処理の際にリライトカード処理装置によりリライトカードの記憶部から識別番号を読み取った場合には、その読み取られた識別番号に対応付けられて顧客ファイルに記憶されている顧客名称データに基づく顧客名称が、リライトカードの印字エリアに書き込まれる。これにより、リライトカードの印字エリアの顧客名称が販売データの処理の際に毎回書き替えられることになるので、顧客ファイルに対する顧客名称の登録が終了した後にリライトカードが使用されれば、リライトカードの印字エリアには顧客名称が印字されることになり、顧客サービスの向上及び名称入力作業等に係る経費削減を図ることが可能になる。また、誤った顧客名称を顧客ファイルに登録してしまった場合や、結婚や改名等により顧客名称が変更になった場合にも、顧客ファイルに対する顧客名称の登録変更が終了した後にリライトカードが使用されれば、リライトカードの印字エリアには変更後の顧客名称が印字されることになり、顧客サービスの向上及び名称入力作業等に係る経費削減を図ることが可能になる。また、前記リライトカード処理装置により読み取られた前記識別番号が前記顧客ファイルに存在すると判断した場合であっても、当該識別番号に対応付けられて前記顧客ファイルに記憶されている前記顧客名称データがスペースもしくはＮＵＬＬ値等の前記顧客名称を示すものではない場合には、前記顧客名称書込み機能の実行を回避する書込み回避機能を前記コンピュータに実行させる。
【００１８】
【発明の実施の形態】
本発明の第一の実施の形態を図１ないし図７に基づいて説明する。本実施の形態の商品販売データ処理装置は、繰り返し印字可能なリライトカードに対するデータの読み取り及び書き込み等を行なうリライトカード処理装置であるリライトカードリーダライタを備えた商品販売登録データ処理装置であるＰＯＳ（Point of Sales：販売時点管理）端末に適用されている。
【００１９】
ここで、図１はリライトカードリーダライタ１３を備えたＰＯＳ端末１を概略的に示す外観斜視図である。図１に示すように、ＰＯＳ端末１は、ドロワ２上に載置されており、このドロワ２の引出３の開閉を制御する。このＰＯＳ端末１には、各種のキーが集合するキーボード４、図示しない鍵によってＰＯＳ端末１の動作モードを登録モード・設定モード・精算モード・点検モード等の各業務モードに切り替え設定するためのコントロールキー５、プリンタ６（図５参照）によって印字される取引レシート等を発行するレシート発行口７及びジャーナル窓８が設けられている。また、ＰＯＳ端末１の右側上方には、操作者側の表示部として機能するディスプレイ９が配置され、このディスプレイ９の近傍には客側の表示部として機能する客側ディスプレイ１０が立設されている。さらに、このＰＯＳ端末１には、商品に付される商品コードを光学的に読み取るためのバーコードスキャナ１１が接続されている。加えて、クレジットカード（図示せず）の磁気ストライプに記録されたデータの読み取りを行なうための磁気カードリーダ１２が、ＰＯＳ端末１の右側下方に設けられている。
【００２０】
加えて、図１に示すように、このＰＯＳ端末１には、繰り返し印字可能なリライトカードＣに対するデータの読み取り及び書き込みを行なうリライトカードリーダライタ１３が接続されている。ここで、図２はリライトカードＣを示し、（ａ）は表面図、（ｂ）は裏面図である。図２（ａ）に示すように、リライトカードＣの表面には、白濁タイプやロイコタイプのリライタブル材Ｒが成膜されている。このリライタブル材Ｒは、温度変化により可逆的に変色するものであり、温度変化によってデータ印字の書き替えが自在とされている。つまり、リライタブル材Ｒが印字エリアとして機能することになる。本実施の形態のリライトカードＣのリライタブル材Ｒには、顧客名称や累計ポイントが印字される。一方、リライトカードＣの裏面には、データＤ（図３参照）を記憶した磁気ストライプＭ（記憶部）が形成されている。ここで、図３はリライトカードＣの裏面に形成されている磁気ストライプＭに記憶されているデータＤのデータ構造の一例を示す模式図である。図３に示すように、磁気ストライプＭに記憶されているデータＤは、リライトカードＣを所有する顧客の商品買上金額に応じた累計ポイントｄ１、リライトカードＣごとに付番される顧客を特定する識別番号である会員番号ｄ２により構成されている。
【００２１】
このようなリライトカードＣに対するデータの読み取り及び書き込み等を行なうリライトカードリーダライタ１３について説明する。リライトカードリーダライタ１３には、カード挿入口１３ａ（図１参照）が形成されており、操作者はこのカード挿入口１３ａからリライトカードＣを挿入することになる。ここで、図４はリライトカードリーダライタ１３の内部構造を概略的に示す説明図である。図４に示すように、リライトカードリーダライタ１３には、カード挿入口１３ａから挿入されたリライトカードＣが搬送されるカード搬送経路１４の上下を一定の間隔を保ち挾むように対峙している回動自在な搬送ローラ対１４ａが、複数個配設されている。また、カード搬送経路１４には、多数の発熱素子を有してリライトカードＣのリライタブル材Ｒに印字するためのサーマルプリンタヘッド１５が配設されている。サーマルプリンタヘッド１５はリライトカードＣのリライタブル材Ｒに印字可能な位置に備えられ、このサーマルプリンタヘッド１５に対向してプラテンローラ１６が備えられている。このプラテンローラ１６は、モータ（図示せず）を駆動源として回転することによりカード搬送部材としても機能する。つまり、搬送ローラ対１４ａとプラテンローラ１６とを駆動することにより、カード挿入口１３ａから挿入されてリライトカードＣを吸入し、排出することが可能となっている。加えて、カード搬送経路１４には、リライトカードＣの磁気ストライプＭに記憶されているデータＤの書き込み及び読み取りを行なう磁気ヘッド１７が配設されている。
【００２２】
次に、ＰＯＳ端末１に備えられる各部の電気的接続を図５に基づいて説明する。図５に示すように、このＰＯＳ端末１は、マイクロコンピュータ（以下、マイコンという。）１８を内蔵し、このマイコン１８が、前述したキーボード４、コントロールキー５、プリンタ６、ディスプレイ９、客側ディスプレイ１０、バーコードスキャナ１１、磁気カードリーダ１２、リライトカードリーダライタ１３等の各部をバスライン１９と各種制御回路（図示せず）とを介して駆動制御する。また、マイコン１８は、ＣＰＵ２０にバスライン１９を介して、起動プログラム等の固定的データを格納する記録媒体であるＲＯＭ２１と各種データを書き替え自在に格納するＲＡＭ２２とを接続することにより構成されている。ＲＡＭ２２は、可変的なデータを書き替え自在に格納する機能を利用して、各種ワークエリアの機能を果たす。なお、ＲＡＭ２２は、バッテリＢＴによってバックアップされている。
【００２３】
また、マイコン１８にはバスライン１９を介してＨＤＤ（Hard Disk Drive）２３が接続されており、このＨＤＤ２３には、マイコン１８を動作させる制御プログラムや商品マスタファイル、売上登録に係る売上情報を記憶保持する売上ファイル、顧客ファイル等が格納されている。ここで、図６は顧客ファイルＦのファイル構造を示す模式図である。顧客ファイルＦには、顧客の商品買上金額に応じた累計ポイントデータを記憶する累計ポイントエリアａ、リライトカードＣごとに付番される識別番号である会員番号を記憶する会員番号エリアｂ、顧客の顧客名称データを記憶する顧客名称エリアｃにより構成されている。このような顧客ファイルＦの顧客名称エリアｃに記憶される顧客名称データは、例えば、顧客に対して店側が予め準備した入会申込書を提示し、この入会申込書に顧客データに係る所定の事項を記入してもらい、その入会申込書に記載されている顧客名称である氏名をキーボード４を介して入力したものである。
【００２４】
さらに、マイコン１８にはバスライン１９を介して通信Ｉ／Ｆ２４が接続されており、このＰＯＳ端末１は、外部のホストコンピュータ等に接続可能になっている。
【００２５】
ここで、ＰＯＳ端末１に内蔵されたＨＤＤ２３に格納された制御プログラムが、マイコン１８に実行させる機能について説明する。なお、本実施の形態においては、従来のＰＯＳ端末によって行なわれる処理と同様の処理についてはその説明を省略する。
【００２６】
図７は、カード更新処理の流れを概略的に示すフローチャートである。カード更新処理は、コントロールキー５の切り替えによって登録モードに設定されていることを条件として実行される。このカード更新処理は、商品の販売に係る販売データの処理の際に所定のタイミングでキーボード４に設けられているカードキー（図示せず）を操作することにより実行される。図７に示すように、カードキーが操作されるとカード吸入・カードリードコマンドがリライトカードリーダライタ１３に対して送信され、リライトカードリーダライタ１３の搬送ローラ対１４ａとプラテンローラ１６とが駆動されてリライトカードリーダライタ１３が吸入され、磁気ヘッド１７によってリライトカードＣの磁気ストライプＭに記憶されているデータＤが読み取られる（ステップＳ１）。ここに、識別番号読取手段の機能が実行される。
【００２７】
その後、キーボード４に設けられている締めキー（図示せず）が操作されると（ステップＳ２のＹ）、リライトカードＣから読み取ったデータＤの会員番号ｄ２をキーに、顧客ファイルＦを探索する（ステップＳ３）。ここに、識別番号探索手段の機能が実行される。
【００２８】
リライトカードＣから読み取ったデータＤの会員番号ｄ２と同一の会員番号が顧客ファイルＦの会員番号エリアｂに有る場合には（ステップＳ４のＹ）、ステップＳ５に進む。
【００２９】
ステップＳ５では、データＤの会員番号ｄ２と同一の会員番号に対応付けられた顧客ファイルＦの累計ポイントエリアａに記憶されている累計ポイントデータを当該商品の販売に係る販売データの処理に係る売上データに基づき更新する。
【００３０】
続いて、データＤの会員番号ｄ２と同一の会員番号に対応付けられた顧客ファイルＦの累計ポイントエリアａに記憶されている累計ポイントデータ及び顧客ファイルＦの顧客名称エリアｃに記憶されている顧客名称データを取得し（ステップＳ６）、取得した累計ポイントデータ及び顧客名称データに基づいてサーマルプリンタヘッド１５を駆動してリライタブル材Ｒのデータ印字を書き替えるとともに（ステップＳ７：顧客名称書込み手段）、リライトカードＣの磁気ストライプＭに記憶されているデータＤの累計ポイントｄ１を取得した累計ポイントデータに更新し（ステップＳ８）、処理を終了する。
【００３１】
なお、ライトカードＣから読み取ったデータＤの会員番号ｄ２と同一の会員番号が顧客ファイルＦの会員番号エリアｂに無い場合には（ステップＳ４のＮ）、エラー表示等のエラー処理を実行し（ステップＳ９）、処理を終了する。
【００３２】
ここに、販売データの処理の際にリライトカードリーダライタ１３によりリライトカードＣの磁気ストライプＭから会員番号ｄ２を読み取った場合には、その読み取られた会員番号ｄ２に対応付けられて顧客ファイルＦに記憶されている顧客名称データに基づく顧客名称が、リライトカードＣのリライタブル材Ｒに書き込まれる。これにより、リライトカードＣのリライタブル材Ｒの顧客名称が販売データの処理の際に毎回書き替えられることになるので、顧客ファイルＦに対する顧客名称の登録が終了した後にリライトカードＣが使用されれば、リライトカードＣのリライタブル材Ｒには顧客名称が印字されることになり、顧客サービスの向上及び名称入力作業等に係る経費削減を図ることが可能になる。また、誤った顧客名称を顧客ファイルＦに登録してしまった場合や、結婚や改名等により顧客名称が変更になった場合にも、顧客ファイルＦに対する顧客名称の登録変更が終了した後にリライトカードＣが使用されれば、リライトカードＣのリライタブル材Ｒには変更後の顧客名称が印字されることになり、顧客サービスの向上及び名称入力作業等に係る経費削減を図ることが可能になる。
【００３３】
次に、本発明の第二の実施の形態を図８に基づいて説明する。なお、本発明の第一の実施の形態において説明した部分と同一部分については同一符号を用い、説明も省略する。本実施の形態は、前述した第一の実施の形態とは、カード更新処理の処理の流れが異なるものである。
【００３４】
図８は、カード更新処理の流れを概略的に示すフローチャートである。カード更新処理は、コントロールキー５の切り替えによって登録モードに設定されていることを条件として実行される。このカード更新処理は、商品の販売に係る販売データの処理の際に所定のタイミングでキーボード４に設けられているカードキー（図示せず）を操作することにより実行される。図８に示すように、カードキーが操作されるとカード吸入・カードリードコマンドがリライトカードリーダライタ１３に対して送信され、リライトカードリーダライタ１３の搬送ローラ対１４ａとプラテンローラ１６とが駆動されてリライトカードリーダライタ１３が吸入され、磁気ヘッド１７によってリライトカードＣの磁気ストライプＭに記憶されているデータＤが読み取られる（ステップＳ１１）。ここに、識別番号読取手段の機能が実行される。
【００３５】
その後、キーボード４に設けられている締めキー（図示せず）が操作されると（ステップＳ１２のＹ）、リライトカードＣから読み取ったデータＤの会員番号ｄ２をキーに、顧客ファイルＦを探索する（ステップＳ１３）。ここに、識別番号探索手段の機能が実行される。
【００３６】
リライトカードＣから読み取ったデータＤの会員番号ｄ２と同一の会員番号が顧客ファイルＦの会員番号エリアｂに有る場合には（ステップＳ１４のＹ）、ステップＳ１５に進む。
【００３７】
ステップＳ１５では、データＤの会員番号ｄ２と同一の会員番号に対応付けられた顧客ファイルＦの累計ポイントエリアａに記憶されている累計ポイントデータを当該商品の販売に係る販売データの処理に係る売上データに基づき更新する。
【００３８】
続くステップＳ１６では、顧客ファイルＦの顧客名称エリアｃに顧客名称データが記憶されているか否かを判断する。
【００３９】
顧客ファイルＦの顧客名称エリアｃに顧客名称データが記憶されている場合には（ステップＳ１６のＹ）、データＤの会員番号ｄ２と同一の会員番号に対応付けられた顧客ファイルＦの累計ポイントエリアａに記憶されている累計ポイントデータ及び顧客ファイルＦの顧客名称エリアｃに記憶されている顧客名称データを取得し（ステップＳ１７）、取得した累計ポイントデータ及び顧客名称データに基づいてサーマルプリンタヘッド１５を駆動してリライタブル材Ｒのデータ印字を書き替えるとともに（ステップＳ１８：顧客名称書込み手段）、リライトカードＣの磁気ストライプＭに記憶されているデータＤの累計ポイントｄ１を取得した累計ポイントデータに更新し（ステップＳ１９）、処理を終了する。
【００４０】
一方、顧客ファイルＦの顧客名称エリアｃに顧客名称データが記憶されていない場合、例えば顧客名称データがスペースもしくはＮＵＬＬ値等の顧客名称を示すものではない場合には（ステップＳ１６のＮ）、データＤの会員番号ｄ２と同一の会員番号に対応付けられた顧客ファイルＦの累計ポイントエリアａに記憶されている累計ポイントデータのみを取得し（ステップＳ２０）、取得した累計ポイントデータに基づいてサーマルプリンタヘッド１５を駆動してリライタブル材Ｒのデータ印字を書き替えるとともに（ステップＳ２１）、リライトカードＣの磁気ストライプＭに記憶されているデータＤの累計ポイントｄ１を取得した累計ポイントデータに更新し（ステップＳ２２）、処理を終了する。ここに、書込み回避手段の機能が実行される。
【００４１】
なお、ライトカードＣから読み取ったデータＤの会員番号ｄ２と同一の会員番号が顧客ファイルＦの会員番号エリアｂに無い場合には（ステップＳ１４のＮ）、エラー表示等のエラー処理を実行し（ステップＳ２３）、処理を終了する。
【００４２】
ここに、顧客名称データがスペースもしくはＮＵＬＬ値等の顧客名称を示すものではない場合には、リライトカードＣのリライタブル材Ｒの顧客名称が書き替えられることはない。これにより、例えば顧客ファイＦルに対する顧客名称の登録が終了する前に顧客名称をリライトカードＣのリライタブル材Ｒに書き込んで発行する場合に、発行直後のリライトカードＣの使用によってリライトカードＣのリライタブル材Ｒの顧客名称が消えてしまうことを回避することが可能になる。
【００４３】
なお、各実施の形態では、制御プログラムがＨＤＤ２３に格納されていたが、これに限るものではなく、ＦＤ、ＣＤ−ＲＯＭ（いずれも図示せず）等の記憶媒体に制御プログラムを格納しても良い。なお、ＦＤ、ＣＤ−ＲＯＭは、ＰＯＳ端末１に固定的に設けられておらず、単体で取り扱える交換自在な記憶媒体としての形態を備え、図示しないＦＤドライブやＣＤ−ＲＯＭドライブを用いることによって制御プログラムを読み出すことでマイコン１８による各処理が可能になる。
【００４４】
さらに、各実施の形態においては、商品販売データ処理装置として１台のスタンドアロン型のＰＯＳ端末１に適用したが、これに限るものではなく、複数台のＰＯＳ端末とホストコンピュータとで構成されるＰＯＳシステムを適用しても良い。
【００４５】
【発明の効果】
請求項１記載の発明の商品販売データ処理装置によれば、商品の販売に係る販売データを処理する商品販売データ処理装置において、顧客を特定する識別番号を記憶する記憶部と書き替え自在な印字エリアとを有するリライトカードに対し、前記記憶部からの前記識別番号の読み取り及び前記印字エリアに対する所定事項の書き込みが可能なリライトカード処理装置と、前記リライトカードを保有する顧客の名称である顧客名称データをその顧客を特定する前記識別番号に対応付けて記憶する顧客ファイルと、前記販売データの処理の際に、前記リライトカード処理装置によって前記リライトカードの前記記憶部から前記識別番号を読み取る識別番号読取手段と、この識別番号読取手段により読み取られた前記識別番号が、前記顧客ファイルに存在するか否かを判断する識別番号探索手段と、前記リライトカード処理装置により読み取られた前記識別番号が前記顧客ファイルに存在すると判断した場合には、当該識別番号に対応付けられて前記顧客ファイルに記憶されている前記顧客名称データに基づく顧客名称を前記リライトカードの前記印字エリアに前記リライトカード処理装置により書き込む顧客名称書込み手段と、を備え、販売データの処理の際にリライトカード処理装置によりリライトカードの記憶部から識別番号を読み取った場合には、その読み取られた識別番号に対応付けられて顧客ファイルに記憶されている顧客名称データに基づく顧客名称をリライトカードの印字エリアに書き込むことにより、リライトカードの印字エリアの顧客名称が販売データの処理の際に毎回書き替えられることになるので、顧客ファイルに対する顧客名称の登録が終了した後にリライトカードが使用されれば、リライトカードの印字エリアには顧客名称が印字されることになり、顧客サービスの向上及び名称入力作業等に係る経費削減を図ることができる。また、誤った顧客名称を顧客ファイルに登録してしまった場合や、結婚や改名等により顧客名称が変更になった場合にも、顧客ファイルに対する顧客名称の登録変更が終了した後にリライトカードが使用されれば、リライトカードの印字エリアには変更後の顧客名称が印字されることになり、顧客サービスの向上及び名称入力作業等に係る経費削減を図ることができる。また、前記リライトカード処理装置により読み取られた前記識別番号が前記顧客ファイルに存在すると判断した場合であっても、当該識別番号に対応付けられて前記顧客ファイルに記憶されている前記顧客名称データがスペースもしくはＮＵＬＬ値等の前記顧客名称を示すものではない場合には、前記顧客名称書込み手段の実行を回避する書込み回避手段を備えることにより、顧客名称データがスペースもしくはＮＵＬＬ値等の顧客名称を示すものではない場合には、リライトカードの印字エリアの顧客名称が書き替えられることはないので、例えば顧客ファイルに対する顧客名称の登録が終了する前に顧客名称をリライトカードの印字エリアに書き込んで発行する場合に、発行直後のリライトカードの使用によってリライトカードの印字エリアの顧客名称が消えてしまうことを回避することができる。
【００４７】
請求項２記載の発明のプログラムによれば、顧客を特定する識別番号を記憶する記憶部と書き替え自在な印字エリアとを有するリライトカードに対し、前記記憶部からの前記識別番号の読み取り及び前記印字エリアに対する所定事項の書き込みが可能なリライトカード処理装置と、前記リライトカードを保有する顧客の名称である顧客名称データをその顧客を特定する前記識別番号に対応付けて記憶する顧客ファイルとを備え、商品の販売に係る販売データを処理する商品販売データ処理装置のコンピュータに読み取り可能なプログラムであって、前記プログラムは、前記販売データの処理の際に、前記リライトカード処理装置によって前記リライトカードの前記記憶部から前記識別番号を読み取る識別番号読取機能と、この識別番号読取機能により読み取られた前記識別番号が、前記顧客ファイルに存在するか否かを判断する識別番号探索機能と、前記リライトカード処理装置により読み取られた前記識別番号が前記顧客ファイルに存在すると判断した場合には、当該識別番号に対応付けられて前記顧客ファイルに記憶されている前記顧客名称データに基づく顧客名称を前記リライトカードの前記印字エリアに前記リライトカード処理装置により書き込む顧客名称書込み機能と、を前記コンピュータに実行させ、販売データの処理の際にリライトカード処理装置によりリライトカードの記憶部から識別番号を読み取った場合には、その読み取られた識別番号に対応付けられて顧客ファイルに記憶されている顧客名称データに基づく顧客名称をリライトカードの印字エリアに書き込むことにより、リライトカードの印字エリアの顧客名称が販売データの処理の際に毎回書き替えられることになるので、顧客ファイルに対する顧客名称の登録が終了した後にリライトカードが使用されれば、リライトカードの印字エリアには顧客名称が印字されることになり、顧客サービスの向上及び名称入力作業等に係る経費削減を図ることができる。また、誤った顧客名称を顧客ファイルに登録してしまった場合や、結婚や改名等により顧客名称が変更になった場合にも、顧客ファイルに対する顧客名称の登録変更が終了した後にリライトカードが使用されれば、リライトカードの印字エリアには変更後の顧客名称が印字されることになり、顧客サービスの向上及び名称入力作業等に係る経費削減を図ることができる。また、前記リライトカード処理装置により読み取られた前記識別番号が前記顧客ファイルに存在すると判断した場合であっても、当該識別番号に対応付けられて前記顧客ファイルに記憶されている前記顧客名称データがスペースもしくはＮＵＬＬ値等の前記顧客名称を示すものではない場合には、前記顧客名称書込み機能の実行を回避する書込み回避機能を前記コンピュータに実行させることにより、顧客名称データがスペースもしくはＮＵＬＬ値等の顧客名称を示すものではない場合には、リライトカードの印字エリアの顧客名称が書き替えられることはないので、例えば顧客ファイルに対する顧客名称の登録が終了する前に顧客名称をリライトカードの印字エリアに書き込んで発行する場合に、発行直後のリライトカードの使用によってリライトカードの印字エリアの顧客名称が消えてしまうことを回避することができる。
【図面の簡単な説明】
【図１】本発明の第一の実施の形態のリライトカードリーダライタを備えたＰＯＳ端末を概略的に示す外観斜視図である。
【図２】リライトカードを示し、（ａ）は表面図、（ｂ）は裏面図である。
【図３】リライトカードの裏面に形成されている磁気ストライプに記憶されているデータのデータ構造の一例を示す模式図である。
【図４】リライトカードリーダライタの内部構造を概略的に示す説明図である。
【図５】ＰＯＳ端末に備えられる各部の電気的接続を示すブロック図である。
【図６】顧客ファイルのファイル構造を示す模式図である。
【図７】カード更新処理の流れを概略的に示すフローチャートである。
【図８】本発明の第二の実施の形態のカード更新処理の流れを概略的に示すフローチャートである。
【符号の説明】
１        商品販売データ処理装置
１３      リライトカード処理装置
Ｃ        リライトカード
Ｆ        顧客ファイル
Ｍ        記憶部
Ｒ        印字エリア
【図１】
0003891396.tif 000002
【図２】
0003891396.tif 000003
【図３】
0003891396.tif 000004
【図４】
0003891396.tif 000005
【図５】
0003891396.tif 000006
【図６】
0003891396.tif 000007
【図７】
0003891396.tif 000008
【図８】
0003891396.tif 000009